(57)【要約】【課題】入力した画像データを処理して記憶装置にいったん蓄積し、蓄積した画像データを再利用するような画像処理装置において、紙幣や有価証券等の特殊原稿の偽造を確実に防止する。【解決手段】ＨＤＤ４に蓄積しようとする画像データを処理する画像データ処理装置２は、内部の特殊原稿検知部により特殊原稿検知を行ってその結果を出力画像データのヘッダに記録する。ＨＤＤ４に蓄積されている画像データに、その出力目的の処理を施す画像データ処理装置１７は、処理する画像データのヘッダに記録されている特殊原稿検知結果に応じて、内部の特殊原稿検知部の動作を制御する。【選択図】図１
2011199441.tif 000002
【特許請求の範囲】
【請求項１】
画像を蓄積するための記憶手段と、
前記記憶手段に蓄積される前の画像データを処理するための第１の画像データ処理手段と、
前記記憶手段に蓄積されている画像データに対し、その出力目的の処理を施すための第２の画像データ処理手段とを有する画像処理装置であって、
前記第１の画像データ処理手段は、偽造の許されない特殊原稿を検知するための第１の特殊原稿検知手段を含み、該第１の特殊原稿検知手段による検知結果を、出力する画像データのヘッダ情報の一部として記録し、
前記第２の画像データ処理手段は、偽造の許されない特殊原稿を検知するための第２の特殊原稿検知手段を含むとともに、処理する画像データのヘッダ情報の一部として記録されている前記第１の特殊原稿検知手段による検知結果に応じて、前記第２の特殊原稿検知手段の動作を制御する制御手段を含むことを特徴とする画像処理装置。
【請求項２】
前記第１の特殊原稿検知手段の検知結果は、特殊原稿を検知した「検知」、特殊原稿を検知しない「非検知」、特殊原稿である可能性が少なからずある「グレー」のいずれかであり、前記第１の画像データ処理手段は、前記第１の特殊原稿検知手段の検知結果が「グレー」のときに、特有のフィルタ処理を画像データに施すことを特徴とする請求項１に記載の画像処理装置。
【請求項３】
前記第１の画像データ処理手段は、前記第１の特殊原稿検知手段による検知結果が「グレー」のときに、画像データに施された特有のフィルタ処理のためのフィルタ設定を、出力する画像データのヘッダ情報の一部として記録し、
前記第２の画像データ処理手段において、処理する画像データのヘッダ情報の一部として「グレー」とフィルタ設定が記録されている場合に、前記制御手段は、当該フィルタ設定に応じて、前記第２の特殊原稿検知手段の検知基準を設定することを特徴とする請求項２に記載の画像処理装置。
【請求項４】
前記第１の特殊原稿検知手段の検知結果は、特殊原稿を検知した「検知」、特殊原稿を検知しない「非検知」、特殊原稿である可能性が少なからずある「グレー」のいずれかであり、前記第１の画像データ処理手段は、前記第１の特殊原稿検知手段の検知結果が「グレー」のときに、特有のフィルタ処理を画像データに施し、当該特有のフィルタ処理を施された画像データを付帯情報として当該特有のフィルタ処理を施されない画像データに付加して出力し、
前記第２の画像データ処理手段において、処理する画像データのヘッダ情報の一部として「グレー」が記録されているときには、前記第２の特殊原稿検知手段によって、処理する画像データと、その付帯情報として付加されている画像データのそれぞれに対し特殊原稿検知を行い、それぞれの検知結果を綜合して検知結果を決定することを特徴とする請求項１に記載の画像処理装置。
【請求項５】
前記第１の画像データ処理手段は、前記第１の特殊原稿検知手段の検知結果が「グレー」のときに、画像データに施される特有のフィルタ処理のためのフィルタ設定を、出力する画像データのヘッダ情報の一部として記録し、
前記第２の画像データ処理手段において、処理する画像データのヘッダ情報の一部として「グレー」とフィルタ設定が記録されているときに、前記制御手段は、当該フィルタ設定に応じて、処理する画像データ及びその付帯情報として付加されている画像データのそれぞれに対する前記第２の特殊原稿検知手段の検知基準を設定することを特徴とする請求項４に記載の画像処理装置。
【請求項６】
前記第１の画像データ処理手段は、前記第１の特殊原稿検知手段による検知結果が「グレー」のときに、前記特有のフィルタ処理が施された画像データの、前記第１の特殊原稿検知手段により「グレー」と判定された領域のデータのみを付帯情報として、前記特有のフィルタ処理が施されない画像データに付加して出力することを特徴とする請求項４又は５に記載の画像処理装置。
【請求項７】
前記第１の画像データ処理手段は、出力する画像データのヘッダ情報の一部として、当該画像データが当該第１の画像データ処理装置を経由した履歴を記録し、
前記第２の画像データ処理手段において、処理する画像データのヘッダ情報として前記履歴が記録されていない場合に、前記制御手段は、前記第２の特殊原稿検知手段を特殊原稿を検知した状態に設定することを特徴とする請求項１乃至６のいずれか１項に記載の画像処理装置。
【請求項８】
請求項１乃至７のいずれか１項に記載の画像処理装置の第１と第２の画像データ処理手段及び記憶手段としてコンピュータを機能させるプログラム。
【請求項９】
請求項１乃至７のいずれか１項に記載の画像処理装置の第１と第２の画像データ処理手段及び記憶手段としてコンピュータを機能させるプログラムが記録されたコンピュータが読み取り可能な記録媒体。
【発明の詳細な説明】
【技術分野】
【０００１】
本発明は、原稿読取装置等により入力した画像データを処理して記憶装置にいったん蓄積し、蓄積した画像データを再利用する画像処理装置に係り、特に、このような画像処理装置における紙幣、有価証券等の特殊原稿の偽造防止技術に関する。
【背景技術】
【０００２】
画像読取機器や画像形成機器の性能の飛躍的向上により、偽造の許されない紙幣、有価証券等の特殊原稿が偽造される機会が増加している。原稿読取装置等により入力した画像データを処理して記憶装置にいったん蓄積し、蓄積した画像データを処理して出力するような画像処理装置においても、特殊原稿の偽造防止が重要な課題となっている。
【０００３】
なお、特殊原稿の偽造防止に関して、特許文献１に、外部から入力した画像データに対し特殊原稿検知を行い、特殊原稿であると判定した場合には、その画像データの外部出力を禁止する端末装置が開示されている。
【発明の概要】
【発明が解決しようとする課題】
【０００４】
本発明の目的は、入力した画像データを処理して記憶装置にいったん蓄積し、蓄積した画像データを再利用するような画像処理装置において、紙幣や有価証券等の特殊原稿の偽造を確実に防止できるようにすることにある。
【課題を解決するための手段】
【０００５】
請求項１に記載の発明は、
画像を蓄積するための記憶手段と、
前記記憶手段に蓄積される前の画像データを処理するための第１の画像データ処理手段と、
前記記憶手段に蓄積されている画像データに対し、その出力目的の処理を施すための第２の画像データ処理手段とを有する画像処理装置であって、
前記第１の画像データ処理手段は、偽造の許されない特殊原稿を検知するための第１の特殊原稿検知手段を含み、該第１の特殊原稿検知手段による検知結果を、出力する画像データのヘッダ情報の一部として記録し、
前記第２の画像データ処理手段は、偽造の許されない特殊原稿を検知するための第２の特殊原稿検知手段を含むとともに、処理する画像データのヘッダ情報の一部として記録されている前記第１の特殊原稿検知手段による検知結果に応じて、前記第２の特殊原稿検知手段の動作を制御する制御手段を含むことを特徴とする画像処理装置である。
【０００６】
請求項２に記載の発明は、請求項１に記載の発明の画像処理装置において、
前記第１の特殊原稿検知手段の検知結果は、特殊原稿を検知した「検知」、特殊原稿を検知しない「非検知」、特殊原稿である可能性が少なからずある「グレー」のいずれかであり、前記第１の画像データ処理手段は、前記第１の特殊原稿検知手段の検知結果が「グレー」のときに、特有のフィルタ処理を画像データに施すことを特徴とする。
【０００７】
請求項３に記載の発明は、請求項２に記載の発明の画像処理装置において、
前記第１の画像データ処理手段は、前記第１の特殊原稿検知手段による検知結果が「グレー」のときに、画像データに施された特有のフィルタ処理のためのフィルタ設定を、出力する画像データのヘッダ情報の一部として記録し、
前記第２の画像データ処理手段において、処理する画像データのヘッダ情報の一部として「グレー」とフィルタ設定が記録されている場合に、前記制御手段は、当該フィルタ設定に応じて前記第２の特殊原稿検知手段の検知基準を設定することを特徴とする。
【０００８】
請求項４に記載の発明は、請求項１に記載の発明の画像処理装置において、
前記第１の特殊原稿検知手段の検知結果は、特殊原稿を検知した「検知」、特殊原稿を検知しない「非検知」、特殊原稿である可能性が少なからずある「グレー」のいずれかであり、前記第１の画像データ処理手段は、前記第１の特殊原稿検知手段の検知結果が「グレー」のときに、特有のフィルタ処理を画像データに施し、当該特有のフィルタ処理を施された画像データを付帯情報として当該特有のフィルタ処理を施されない画像データに付加して出力し、
前記第２の画像データ処理手段において、処理する画像データのヘッダ情報の一部として「グレー」が記録されているときに、前記第２の特殊原稿検知手段によって、処理する画像データと、その付帯情報として付加されている画像データのそれぞれに対し特殊原稿検知を行い、それぞれの検知結果を綜合して検知結果を決定することを特徴とする。
【０００９】
請求項５に記載の発明は、請求項４に記載の発明の画像処理装置において、
前記第１の画像データ処理手段は、前記第１の特殊原稿検知手段の検知結果が「グレー」のときに、画像データに施される特有のフィルタ処理のためのフィルタ設定を、出力する画像データのヘッダ情報の一部として記録し、
前記第２の画像データ処理手段において、処理する画像データのヘッダ情報の一部として、「グレー」とフィルタ設定が記録されているときに、前記制御手段は、当該フィルタ設定に応じて、処理する画像データ及びその付帯情報として付加されている画像データのそれぞれに対する前記第２の特殊原稿検知手段の検知基準を設定することを特徴とする。
【００１０】
請求項６に記載の発明は、請求項４又は５に記載の発明の画像処理装置において、
前記第１の画像データ処理手段は、前記第１の特殊原稿検知手段による検知結果が「グレー」のときに、前記特有のフィルタ処理が施された画像データの、前記第１の特殊原稿検知手段により「グレー」と判定された領域のデータのみを付帯情報として、前記特有のフィルタ処理が施されない画像データに付加して出力することを特徴とする。
【００１１】
請求項７に記載の発明は、請求項１乃至６のいずれか１項に記載の発明の画像処理装置において、
前記第１の画像データ処理手段は、出力する画像データのヘッダ情報の一部として、当該画像データが当該第１の画像データ処理手段を経由した履歴を記録し、
前記第２の画像データ処理手段において、処理する画像データのヘッダ情報として前記履歴が記録されていない場合に、前記制御手段は、前記第２の特殊原稿検知手段を特殊原稿を検知した状態に設定することを特徴とする。
【００１２】
請求項８の発明は、請求項１乃至７のいずれか１項に記載の発明の画像処理装置の第１と第２の画像データ処理手段及び記憶手段としてコンピュータを機能させるプログラムである。
【００１３】
請求項９の発明は、請求項１乃至７のいずれか１項に記載の画像処理装置の第１と第２の画像データ処理手段及び記憶手段としてコンピュータを機能させるプログラムが記録されたコンピュータが読み取り可能な記録媒体である。
【発明の効果】
【００１４】
請求項１乃至７の発明によれば、画像の蓄積前処理の段階と出力目的の蓄積後処理の段階で特殊原稿検知を適切に行い特殊原稿の偽造を確実に防止することができる。また、請求項７の発明によれば、記憶手段の物理的な交換等による不正な蓄積画像データの改竄等が行われたような場合にも特殊原稿の偽造を防止することができる。請求項８，９の発明によれば、コンピュータを利用し請求項１乃至７の発明に係る画像処理装置を容易に実現することができる等々の効果を奏することができる。
【図面の簡単な説明】
【００１５】
【図１】本発明の一実施形態に係るデジタル画像処理装置の全体構成図である。
【図２】蓄積前処理のための画像データ処理装置の実施例を説明するためのブロック図である。
【図３】蓄積前処理のための画像データ処理装置の実施例を説明するためのブロック図である。
【図４】蓄積前処理のための画像データ処理装置の実施例を説明するためのブロック図である。
【図５】出力目的の蓄積後処理のための画像データ処理装置の実施例を説明するためのブロック図である。
【図６】様々な画像種類に対する特殊原稿検知感度特性と検知基準としての判定閾値について説明するための図である。
【図７】蓄積画像データの機密管理の説明図である。
【発明を実施するための形態】
【００１６】
図１は、本発明の一実施形態に係るデジタル画像処理装置（ＭＦＰ）の全体構成図である。このデジタル画像処理装置１００の構成要素について順次説明する。
【００１７】
読取り装置１は原稿をスキャンして原稿の濃淡情報を取得し、この濃淡情報から例えばＲＧＢ各８ビットのデジタル画像データを生成し出力する装置である。
【００１８】
画像データ処理装置２は、読取り装置１から入力される画像データ、あるいは、外部Ｉ／Ｆ装置１１やメモリ６を通じたＰＣ１５からの画像データや外部メディア１６からの画像データに対し蓄積前処理を施す装置であり、この装置より出力される画像ファイルはＨＤＤ４に格納される。この画像データ処理装置２は、紙幣や有価証券等の偽造することが違法行為となるような特殊原稿を検知する手段を備えている。
【００１９】
画像データ処理部１７は、ＨＤＤ４より読み出した画像ファイルの圧縮画像データを伸長し、出力目的の蓄積後処理を施す装置であり、この装置から出力される画像ファイルはＨＤＤ４に格納される。この画像データ処理装置１７も紙幣や有価証券等の特殊原稿を検知する手段を備えている。
【００２０】
ＨＤＤ４は、画像データ等を蓄積するための記憶装置である。バス制御装置３は、デジタル画像処理装置１００内で必要な画像データや制御コマンド等各種データのやり取りを行う装置である。ＣＰＵ５は、デジタル画像処理装置１００の制御全体を司るマイクロプロセッサである。メモリ６は、ＣＰＵ５がデジタル画像処理装置１００の制御を行う際に、プログラムや中間処理データの一時的記憶等に使用される揮発性メモリである。プロッタＩ／Ｆ装置７は、ＣＰＵ５から転送されてくるＣＭＹＫ画像データを受け取り、プロッタ装置８へ出力する装置である。プロッタ装置８は、プロッタＩ／Ｆ装置７より入力されるＣＭＹＫ画像データを、レーザービームを用いた電子写真プロセスなどにより転写紙に画像出力する装置である。Ｓ．Ｂ．（South  Bridge）１２は、バスのブリッジ機能を汎用回路化したものである。ＲＯＭ１３は、ＣＰＵ５がデジタル画像処理装置１００の制御を行うためのプログラム等が格納されている非揮発性メモリである。操作表示装置９は、デジタル画像処理装置１００とユーザーのインターフェースを行う部分で、ＬＣＤ（液晶表示装置）とキースイッチから構成され、装置の各種状態や操作方法をLCDに表示し、ユーザーからのキースイッチ入力を検知する装置である。デジタル画像処理装置１００は、装置外にあるＦＡＸ１４と、電話回線及び回線Ｉ／Ｆ装置１０を介して画像データの授受を行う。デジタル画像処理装置１００は、装置外にあるＰＣ１５やＳＤカード等の外部メディア１６との間で、ネットワーク（イーサネット）及び外部Ｉ／Ｆ装置１１を介して、各種制御や画像データ入出力を行う。
【００２１】
以下、本発明の主たる特徴に関わる画像データ処理装置２，１７について、いくつかの実施例により詳細に説明する。
＜実施例１＞
図２は、この実施例１に係る画像データ処理装置２の構成を説明するためのブロック図である。画像データ処理装置２において、スキャナγ変換部２１は、読取り装置１などから入力される例えばＲＧＢ各８ビットの画像データに対してγ変換を行い、反射率リニアから濃度リニアへ階調特性を変換する手段である。変倍処理部２２は、濃度リニアの階調特性に変換された画像データに対し、操作表示装置９で指定された解像度への変倍処理を行う手段である。フィルタ処理部２３は、文字部を強調する、絵柄部を平滑化する等のフィルタ処理を行う手段である。色補正部２４は、フィルタ処理部２３を通過したＲＧＢ画像データに対して、例えばＡｄｏｂｅＲＧＢ，ｓＲＧＢ等のデバイス非依存の色空間への変換を行う手段である。階調補正部２５は、色補正部２４によって補正後の画像データに対して出力特性を変更する処理を施す装置であり、例えば、操作表示装置９でコントラストを高くするよう指示された場合、入力階調に対して出力階調の階調変化量が多くなるような処理を施す。階調補正部２５はまた、特殊原稿が検知されたときに、画像を塗り潰すような特殊な階調補正を画像データに施す手段でもある。圧縮処理部２６は、操作表示装置９等より指定された解像度に従って、階調補正部２５より入力される画像データの圧縮処理を行い、圧縮された画像データの画像ファイルを出力する。この画像ファイルはＨＤＤ４に蓄積される。圧縮処理部２６における圧縮処理は、公知の圧縮方式により行えばよい。
【００２２】
特殊原稿検知部２７は、紙幣や有価証券等の特殊原稿を検知する手段であり、例えば、特定の特殊原稿の画像と入力画像とのパターンマッチング等を行い、両画像間の距離（相違度）が判定閾値以下ならば特殊原稿であると判定し（特殊原稿検知）、判定閾値を超えたならば特殊原稿でないと判定する（特殊原稿非検知）。この場合、特殊原稿の検知基準として用いる判定閾値を大きくするほど特殊原稿の検知感度は高くなり、特殊原稿の検知漏れは起きにくくなるが、その反面、特殊原稿でない画像を誤って特殊原稿として検知しやすくなる。逆に判定閾値を小さくするほど特殊原稿の検知感度は下がり、特殊原稿でない画像を誤って特殊原稿として検知することは減るが、その反面、特殊原稿の検知漏れは起きやすくなる。なお、入力画像データのソースとして読取り装置１、ＰＣ１５、外部メディア１６があり、それぞれ入力特性に違いがあるため、ソースに応じて特殊原稿の検知基準（ここでは画像間距離の判定閾値）を異ならせることも可能である。
【００２３】
特殊原稿検知部２７の検知結果は階調補正部２５に与えられ、特殊原稿検知の場合には、階調補正部２５において画像を塗り潰すような、正常な画像再生を妨げる特殊な階調補正が画像データに施される。
【００２４】
圧縮処理部２６は、出力する画像ファイルのヘッダ情報の一部として、当該画像データが画像データ処理装置２を経由したという履歴と特殊原稿検知結果とを記録する。
【００２５】
図５は、この実施例１に係る画像データ処理装置１７の構成を説明するためのブロック図である。この画像データ処理装置１７による処理は、画像の出力目的の蓄積後処理に相当する。
【００２６】
画像データ処理装置１７において、伸長処理部３１は、ＨＤＤ４より出力目的で読み出された画像ファイルに対し、その圧縮データを伸長する処理を行う手段である。変倍処理部３２は、伸長処理部３１により伸長されたＲＧＢ画像データに対し、操作表示装置９で指定された解像度へ変換するための変倍処理を施す手段である。フィルタ処理部３３は、変倍処理部３２により処理後の画像データに対し、文字部を強調する、絵柄部を平滑化する等のフィルタ処理を施す手段である。色補正部３４は、フィルタ処理部３３により処理後のＲＧＢ画像データに対して出力色空間に応じた色空間変換を行う手段であり、例えば、紙出力目的であれば出力プロッタに応じたＣＭＹＫ空間へ変換し、配信目的であれば出力先のモニターの色空間（ｓＲＧＢ、ＡｄｏｂｅＲＧＢ）等へ変換する。階調補正部３５は、色補正部３４によって処理後の画像データに対して階調補正処理を行う手段で、例えば操作表示装置９でコントラストを高くする指示があった場合に、入力階調に対して出力階調の階調変化量が多くなるような補正を行う。階調処理部３６は、階調補正後の画像データに対し、出力条件に従ってディザ法や誤差拡散法などのスクリーン処理を施す手段である。圧縮処理部３７は、操作表示装置９等で指定された解像度に従って、階調処理部３６により処理後の画像データを圧縮処理し、圧縮画像データの画像ファイルを出力する手段である。この画像ファイルはＨＤＤ４に蓄積される。なお、圧縮処理部３７における圧縮処理は、公知の方法で行うことが出来る。
【００２７】
特殊原稿検知部３８は、紙幣や有価証券等の特殊原稿を検知する手段であり、例えば、特定の特殊原稿の画像と入力画像とのパターンマッチング等を行い、両画像の距離が判定閾値以下ならば特殊原稿であると判定し（特殊原稿検知）、判定閾値を超えたならば特殊原稿でないと判定する（特殊原稿非検知）。この場合、特殊原稿の検知基準として用いる判定閾値を大きくするほど特殊原稿の検知感度は高くなり、特殊原稿の検知漏れは起きにくくなるが、その反面、特殊原稿でない画像を誤って特殊原稿として検知しやすくなる。逆に判定閾値を小さくするほど特殊原稿の検知感度は下がり、特殊原稿でない画像を誤って特殊原稿として検知することは減るが、その反面、特殊原稿の検知漏れは起きやすくなる。特殊原稿検知部３８の検知結果は階調補正部３５に与えられ、検知結果が「特殊原稿検知」の場合には階調補正部３５で画像を塗り潰すような、正常な画像再生を妨げる特殊な階調補正を行う。
【００２８】
特殊原稿検知制御部３９は、出力目的の画像ファイルのヘッダ情報を伸長処理部３１より取得し、その情報に基づいて特殊原稿検知部３８の動作を制御する手段である。すなわち、ヘッダに記録されている蓄積前の特殊原稿検知結果が「特殊原稿非検知」の場合、特殊原稿検知制御部３９は、特殊原稿検知部３８で特殊原稿検知を実行させる。このように画像データの蓄積前と蓄積後とで特殊原稿検知を二重に行うことにより、蓄積前に検知漏れとなった特殊原稿を検知し、その偽造をより確実に防止することができる。また、蓄積前の特殊原稿検知結果が「特殊原稿検知」の場合、特殊原稿検知制御部３９は特殊原稿検知部３８の動作を抑止する。このように特殊原稿検知動作を抑止するので、階調補正部３５で特殊階調補正は行われないが、蓄積前に画像データ処理装置２において画像データに対し特殊階調補正が施されているため、特殊原稿の偽造は防止される。
【００２９】
画像ファイルのヘッダに、画像データ処理装置２を経由して蓄積されたとの履歴が記録されていない場合、ＨＤＤ４の物理的交換、電気的な強制変換により当該画像ファイルが不正に蓄積されたり改竄されたりしたものである可能性が高い。そこで、画像データ処理装置２の経由履歴が記録されていない場合、特殊原稿検知制御部３９は特殊原稿検知部３８を特殊原稿を検知した状態に設定し（検知結果を強制的に「検知」とする）、階調補正部３５で画像を塗り潰すような正常な画像再生を妨げる特殊な階調補正を行わせる。これにより、ＨＤＤ４の交換等により不正に蓄積されたような特殊原稿画像データの正常な画像再生を妨げ、特殊原稿の偽造を防止することができる。
【００３０】
＜実施例２＞
前記実施例１のように、蓄積前に画像データ処理装置２において、特殊原稿であるか否かの２種類の判定を行い、特殊原稿であると判定した場合に画像データを塗り潰すような特殊な階調補正を行う構成では、特殊原稿を誤検出すると、画像の通常再生が不可能となるので影響が大きい。しかし、特性が不透明な外部メディアからの入力画像など、入力条件の違いのある画像を扱う場合、一度の特殊原稿検知処理で誤検出のない特殊原稿検知を行うことは容易でない（検知基準の設定が難しい）。
【００３１】
この実施例２では、蓄積前処理のための画像データ処理装置２と出力目的の蓄積後処理のための画像データ処理装置１７の両方に特殊原稿検知手段を備えることを踏まえ、蓄積前処理の特殊原稿検知部２７では、特殊原稿である（特殊原稿検知）、特殊原稿ではない（特殊原稿非検知）、特殊原稿である可能性が少なからずある（グレー）という３種類の判定を行う。したがって、蓄積前処理の段階で、特殊原稿でないものを特殊原稿とする誤検知を大幅に減らすことができる。そして、蓄積後処理の特殊原稿検知部３８で、蓄積前処理で「グレー」と判定された画像データに対して特殊原稿検知処理を行うことにより、特殊原稿であるか否かを、より精度よく判定することができる。
【００３２】
図３は、この実施例２に係る画像データ２の構成を説明するためブロック図である。特殊原稿検知部２７の検知結果はフィルタ処理部２３にも与えられる。
【００３３】
この実施例２においては、特殊原稿検知部２７で、上述のように、特殊原稿の画像である「特殊原稿検知」、特殊原稿の画像ではない「特殊原稿非検知」、特殊原稿の画像である可能性が少なからずある「グレー」という３種類の判定を行う。例えば、特定の特殊原稿の画像と入力画像とのパターンマッチング等を行い、両画像間の距離（相違度）が第１の判定閾値ｔｈ１以下ならば「特殊原稿検知」、距離が第２の判定閾値ｔｈ２（ただしｔｈ２＞ｔｈ１）を超えたならば「特殊原稿非検知」、距離が第１の判定閾値より大きく第２の判定閾値ｔｈ２より小さいならば「グレー」、と判定とする。このように、二つの判定閾値ｔｈ１，ｔｈ２を特殊原稿の検知基準として用いる。
【００３４】
「グレー」と判定された場合には、フィルタ処理部２３で、変倍処理後の画像データに対し、通常のフィルタ処理に加えて追加フィルタ処理が施される。この「グレー」の場合に特有な追加フィルタ処理は、蓄積後処理のための画像データ処理装置１７における特殊原稿検知部３８で特殊原稿検知精度を上げやすくするためのものであり、具体的には、画像データの入力デバイス毎のＲＧＢ感度バラツキ等を平準化する等、入力条件のデバイス依存をできるだけ除去し、また、ＲＧＢ信号のレンジを拡大したり特定色相を強調したりするものである。
【００３５】
階調補正部２５では、特殊原稿が検知された場合にのみ、画像を塗り潰すような特殊な階調補正処理が施される。圧縮処理部２６は、出力する画像ファイルのヘッダに、特殊原稿検知結果と、当該画像データが蓄積前処理のための画像データ処理装置２を経由したという履歴が記録される。特殊原稿検知結果が「グレー」となった場合に、フィルタ処理部２３での追加フィルタ処理のためのフィルタ設定もヘッダに記録される。出力された画像ファイルはＨＤＤ４に蓄積される。
【００３６】
この実施例２においても、出力目的の蓄積後処理のための画像データ処理装置１７のブロック構成は図５に示す通りである。特殊原稿検知制御部３９は、出力目的の画像ファイルのヘッダ情報を伸長処理部３１より取得し、ヘッダに記録されている蓄積前の特殊原稿検知結果が、「特殊原稿非検知」の場合と「グレー」の場合には、それぞれ特殊原稿検知部３８で特殊原稿検知を実行させる。特殊原稿検知部３８では、例えば、特定の特殊原稿の画像と入力画像とのパターンマッチング等を行い、両画像間の距離（相違度）が判定閾値以下ならば特殊原稿であると判定し（特殊原稿検知）、判定閾値を超えたならば特殊原稿でないと判定する（特殊原稿非検知）。この場合、蓄積前処理における特殊原稿検知結果が「特殊原稿非検知」の場合と「グレー」の場合とで、それぞれ異なった判定閾値を設定することができる。そして、特殊原稿が検知されたときには、その特殊原稿の偽造防止のため、階調補正部３５で画像を塗り潰すような特殊な階調補正が施される。
【００３７】
なお、蓄積前処理における特殊原稿検知結果が「グレー」の場合、ヘッダ情報として記録されているフィルタ設定に応じて特殊原稿の検知基準である判定閾値を設定することにより、「グレー」と判定された蓄積画像データに対する特殊原稿検知の精度をより向上させることができる。
【００３８】
また、前記実施例１と同様に、蓄積画像データのヘッダ情報として蓄積前に画像データ処理装置２を経由した履歴が記録されていない場合には、ＨＤＤ４の物理的交換、電気的な強制変換により当該画像ファイルが不正に蓄積されたり改竄されたりしたものである可能性が高いので、特殊原稿検知制御部３９は特殊原稿検知部３８の検知結果を強制的に「特殊原稿検知」に設定する。こうすることで、階調補正部３５で画像を塗り潰すような特殊な階調補正を行わせ、ＨＤＤ４の交換等により不正に蓄積された特殊原稿画像データの正常な画像再生を妨げ、特殊原稿の偽造を防止する。
【００３９】
＜実施例３＞
図４は、この実施例３に係る画像データ処理装置２の構成を説明するためのブロック図である。図４において、付帯情報付加部２８が追加されている。
【００４０】
画像データ処理装置２における特殊原稿検知部２７の検知結果は、前記実施例２と同様に、「特殊原稿検知」、「特殊原稿非検知」、「グレー」のいずれかである。「グレー」の場合には、前記実施例２と同様に、フィルタ処理部２３で、通常のフィルタ処理に加え追加フィルタ処理（特有のフィルタ処理）を施させる。特殊原稿検知結果が「グレー」の場合、フィルタ処理部２３で通常のフィルタ処理のみ施された画像データ（便宜、画像データＢと呼ぶ）と、通常のフィルタ処理に加えて追加フィルタ処理を施された画像データ（便宜、画像データＡと呼ぶ）が色補正部２４と階調補正部２５を経由して圧縮処理部２６へ送られる。付帯情報付加部２８は、圧縮処理部２６において、画像データＢの圧縮データに画像データＡの圧縮データを付帯情報として付加させ、それらを一つの画像ファイルにまとめさせ出力させる。この画像ファイルはＨＤＤ４に蓄積される。その画像ファイルのヘッダには、前記実施例２と同様に、特殊原稿検知結果と、「グレー」での追加フィルタ処理のためのフィルタ設定、画像データ処理装置２を経由して蓄積されたという履歴が記録される。
【００４１】
特殊原稿検知部２７による検知結果が「特殊原稿非検知」の場合は、フィルタ処理部２３で通常のフィルタ処理のみ施されるので、「グレー」の場合のような付帯情報を付加することはなく、一種類の画像データのみの圧縮データを収めた画像ファイルが圧縮処理部２６より出力される。特殊原稿検知結果が「特殊原稿検知」の場合、フィルタ処理部２３で通常のフィルタ処理が施されるので、「グレー」の場合のような付帯情報を付加することはなく、階調補正部２５で画像を塗り潰すような特殊な階調補正が施された一種類の画像データのみの圧縮データを収めた画像ファイルが圧縮処理部２６より出力される。
【００４２】
出力目的の蓄積後処理のための画像データ処理装置１７は、前記実施例２と同様な図５に示すようなブロック構成である。前記実施例２との相違点は以下の通りである。
【００４３】
入力される画像ファイルのヘッダに記録されている特殊原稿検知結果が「グレー」である場合について説明する。この場合、入力される画像ファイルには画像データＢと画像データＢの圧縮データが格納されており、それぞれ伸長処理部３１で伸長される。変倍処理部３２以下で処理される画像データは画像データＢのみである。特殊原稿処理部３８には伸長された画像データＡと画像データＢが入力される。特殊原稿検知制御部３９は、画像データＢと画像データＡのそれぞれについての特殊原稿検知を特殊原稿検知部３８で行わせる。画像データＡ，Ｂに対する特殊原稿検知は、例えば、特定の特殊原稿の画像と入力画像（Ａ又はＢ）とのパターンマッチングを行い、両画像間の距離（相違度）が判定閾値以下ならば特殊原稿であると判定し（特殊原稿検知）、判定閾値を超えたならば特殊原稿でないと判定する（特殊原稿非検知）。特殊原稿検知部３８では、画像データＡに対する検知結果と画像データＢに対する検知結果とを綜合して、最終的な検知結果を決定する。このような方法であるので、「グレー」とされた画像データに対し、精度の良い特殊原稿検知が可能である。そして、この最終的な特殊原稿検知結果が「特殊原稿検知」の場合、階調補正部３５で画像を塗り潰すような特殊な階調補正が施される。
【００４４】
入力された画像ファイルのヘッダに記録されている蓄積前の特殊原稿検知結果が「特殊原稿非検知」の場合、その画像ファイルには一種類の画像データ（画像データＢ）の圧縮データのみ格納されている。この画像データが伸長され、変倍処理部３２以下で処理される。また、特殊原稿検知制御部３９は、その画像データに対する特殊原稿検知動作を特殊原稿検知部３８で実行させる。その検知結果が「特殊原稿検知」の場合、階調補正部３５で画像を塗り潰すような特殊な階調補正を行わせる。
【００４５】
ヘッダに記録されている蓄積前の特殊原稿検知結果が「特殊原稿検知」の場合、特殊原稿検知制御部３９は特殊原稿検知部３８の動作を抑止する。このように特殊原稿検知動作を抑止するので、階調補正部３５で特殊階調補正は行われないが、蓄積前に画像データ処理装置２において画像データに対し特殊階調補正が施されているため、特殊原稿の偽造は防止される。
【００４６】
ヘッダに、画像データ処理装置２を経由して蓄積されたとの履歴が記録されていない場合、ＨＤＤ４の物理的交換、電気的な強制変換により当該画像ファイルが不正に蓄積されたり改竄されたりしたものである可能性が高い。そこで、画像データ処理装置２の経由履歴が記録されていない場合、特殊原稿検知制御部３９は特殊原稿検知部３８の検知結果を強制的に「特殊原稿検知」に設定することにより、階調補正部３５で画像を塗り潰すような正常な画像再生を妨げる特殊な階調補正を行わせる。これにより、ＨＤＤ４の交換等により不正に蓄積されたような特殊原稿画像データの正常な画像再生を妨げ、特殊原稿の偽造を防止することができる。ただし、画像ファイルの出力を抑止させる制御を行うことも可能であり、このような態様も本発明に包含される。
【００４７】
さて、図６に、様々な画像種類についての特殊原稿検知感度特性を曲線として示す。横軸は画像種類、縦軸は各種類の画像と特殊原稿画像との距離（相違度）を示す。検知感度に対応した距離を判定閾値として、特殊原稿画像との距離が判定閾値より下であれば特殊原稿ではないと判断してよく、距離が判定閾値より上であれば特殊原稿であると判定してよい。検知感度特性曲線に示されるように、画像の種類によって検知感度は異なる。全ての画像種類に対し、その個々の検知感度に対応した判定閾値を設定することは容易でないため、判定閾値ｔｈ１を例えば図６に示す一定の感度ＴＨ１に設定する。判定閾値ｔｈ１をＴＨ１より減少させる（感度を下げる）と画像種類によっては検知漏れが発生しやすくなり、逆に判定閾値ｔｈ１をＴＨ１より増大させる（感度を上げる）と特殊原稿でないにもかかわらず特殊原稿と判定する誤検知が発生しやすくなる。
【００４８】
特殊原稿の偽造防止のためには、特殊原稿の検知漏れは許容されないため、画像を蓄積しない構成の画像処理装置の場合には、誤検知よりも検知漏れが無いように判定閾値ｔｈ１を設定しなければいけない。しかしながら、画像の蓄積前処理と蓄積後処理の両方で特殊原稿検知が可能な本発明の場合、蓄積前処理での検知漏れをある程度許容し得るため、特殊原稿検知部２７での特殊原稿検知の判定閾値ｔｈ１を、感度特性曲線の感度下限に近い感度ＴＨ１に設定することができる。そして、感度特性曲線の感度上限に近い別の感度ＴＨ２に判定閾値ｔｈ２を設定し、入力画像と特殊原稿画像の距離が判定閾値ｔｈ１と判定閾値ｔｈ２の間のときに「グレー」と判定し、距離が判定閾値ｔｈ１以下であるときに特殊原稿であると判定し、距離が判定閾値ｔｈ２を超えたときに特殊原稿でないと判定することになる。
【００４９】
特殊原稿検知部２７で「グレー」と判定した場合にフィルタ処理部２３に追加フィルタ処理を行わせるが、この追加フィルタ処理のためのフィルタ設定は、前記実施例２の場合と同様な画像データの入力条件の違い等に加え、当該画像データの画像種類の検知感度と判定閾値ｔｈ１＝ＴＨ１の差ΔＳ（図６）を考慮して決定される。入力画像データの特性から画像種類とその検知感度が分かるので、ΔＳを求めることができる。
【００５０】
蓄積後処理の画像データ処理装置１７において、画像ファイルのヘッダに記録されている特殊原稿検知結果が「グレー」の場合、特殊原稿検知制御部３９は、追加フィルタ処理が施されている画像データＡに対する特殊原稿検知のための判定閾値と、追加フィルタ処理が施されていない画像データＢに対する特殊原稿検知の判定閾値を、入力画像ファイルのヘッダに記録されている追加フィルタ処理のためのフィルタ設定に基づいて決定して特殊原稿検知部３７に設定することにより、特殊原稿検知部３７で画像データＡと画像データＢに対し精度の良い特殊原稿検知を行わせる。
【００５１】
入力画像ファイルのヘッダに記録されている特殊原稿検知結果が「特殊原稿検知」又は「特殊原稿非検知」の場合の動作、及び、ヘッダに画像データ処理装置２を経由したとの履歴が記録されていない場合の動作は、前記実施例２と同様である。
＜実施例４＞
この実施例４に係る画像データ処理装置２は、前記実施例３と同様に図４に示す構成である。また、本実施例４に係る画像データ処理装置１７は前記実施例３と同様の構成である。
【００５２】
前記実施例３との相違は、画像データ処理装置２において、特殊原稿判定部２７で「グレー」と判定した場合に、フィルタ処理部２３で追加フィルタ処理を施された画像データＡの全体領域のデータを付帯情報として画像データＢに付加させるのではなく、画像データＡの「グレー」と判定した領域のデータのみを画像データＢに付帯させる。すなわち、特殊原稿検知部２７より「グレー」と判定した領域を付帯情報付加部２８に指定し、付帯情報付加部２８は、圧縮処理部２６において、階調補正部２５より入力する画像データＡの指定された領域のデータのみを画像データＡとして画像データＢに付加させる制御を行う。このようにすると、画像データＡを付加することによる画像ファイルのサイズ増加を抑えることができ、その画像ファイルの転送処理の負荷を軽減することができ、さらに、画像データ処理装置１７における伸長処理部３１及び特殊原稿検知部３８での画像データＡに対する処理負担を軽減することができる。
【００５３】
以上説明した本発明の実施形態において、画像データの蓄積のための記憶装置であるＨＤＤ４の記憶スペースを、図７に示すように通常記憶領域７２と機密記憶領域７１とに分割して管理し、機密記憶領域７１に蓄積された画像データに対する出力目的での処理のために必ず画像データ処理装置１７を経由させるよう制御する。そして、蓄積前処理の画像データ処理装置２における特殊原稿検知の結果が「検知」又は「グレー」となった画像データは機密記憶領域７１にのみ蓄積させるように制御するならば、特殊原稿の画像データ又は特殊原稿と疑われるような画像データの通常再生が阻止され、特殊原稿の偽造防止に大きな効果を奏する。かかる態様も本発明に包含される。
【００５４】
なお、以上の説明においては、画像データを圧縮して蓄積するものとしたが、画像データを非圧縮の状態で蓄積する態様も本発明に包含される。
【００５５】
また、本発明に係る画像処理装置の構成要素（画像データ処理装置２，１７、ＨＤＤ４等）としてコンピュータを機能させるプログラム、このようなプログラムが記録された半導体記憶素子、磁気ディスク、光ディスク、光磁気ディスク等、コンピュータが読み取り可能な各種の記録（記憶）媒体も本発明に包含される。
【符号の説明】
【００５６】
１  読取り装置
２  蓄積前処理のための画像データ処理装置
４  ＨＤＤ
１７  出力目的の蓄積後処理のための画像データ処理装置
２３  フィルタ処理部
２５  階調補正部
２６  圧縮処理部
２７  特殊原稿検知部
２８  付帯情報付加部
３１  伸長処理部
３５  階調補正部
３８  特殊原稿検知部
３９  特殊原稿検知制御部
７１  機密記憶領域
【先行技術文献】
【特許文献】
【００５７】
【特許文献１】特開平１０‐１９８８３８号公報
【特許文献２】特開２０００‐２３２５７６号公報
【図１】
2011199441.tif 000003
【図２】
2011199441.tif 000004
【図３】
2011199441.tif 000005
【図４】
2011199441.tif 000006
【図５】
2011199441.tif 000007
【図６】
2011199441.tif 000008
【図７】
2011199441.tif 000009